(57)【要約】【課題】腰痛治療用の電流を安全に供給できる。【解決手段】電源スイッチＳＷ１、単巻変圧器およびトランスＴ１を介して出力端子ｔ１およびｔ２に所定の値に調整された出力が発生する。出力端子ｔ１およびｔ２には、それぞれ電極が接続されている。電極を持つことで、腰痛治療用の電流が流れる。安全性の点から所定以上の電流が流れないように制限される。設定した値以上の出力電流が流れると、ＳＣＲ　Ｄ１がオンし、リレーが通電される。それによって、通電状態が断たれ、出力電流が流れなくなる。【選択図】　図２
2004048850.tif 000002
【特許請求の範囲】
【請求項１】
商用電源と接続される入力端子と、
入力端子と電源スイッチを介して接続された単巻変圧器の固定端子と、
上記単巻変圧器の摺動端子と接続されたトランスと、
トランスと接続され、電極がそれぞれ接続される出力端子と、
上記出力端子の負荷に流れる電流が所定電流以上になると、通電され、電流供給を遮断するリレー接点とからなる電源装置。
【請求項２】
請求項１において、
出力端子に接続された電極を介して腰痛治療用の電流を発生する電源装置。
【発明の詳細な説明】
【０００１】
【発明の属する技術分野】
この発明は、例えば腰痛治療用の電源として使用される電源装置に関する。
【０００２】
【従来の技術】
従来、低周波の電気信号を電極を介して人体に与える電気的治療器が知られている。
【０００３】
【発明が解決しようとする課題】
しかしながら、従来の電気的治療器は、必ずしも充分な治療効果を生じさせるものではなかった。すなわち、持続的な電気的刺激を毎日受けることは、時によって不快感を伴うもので、また、それを我慢しても充分な治療効果を期待できるものではなかった。
【０００４】
したがって、この発明の目的は、腰痛の効果的な治療を可能とする電源装置を提供することにある。
【０００５】
【課題を解決するための手段】
上述した課題を解決するために、請求項１の発明は、商用電源と接続される入力端子と、
入力端子と電源スイッチを介して接続された単巻変圧器の固定端子と、
単巻変圧器の摺動端子と接続されたトランスと、
トランスと接続され、電極がそれぞれ接続される出力端子と、
出力端子の負荷に流れる電流が所定電流以上になると、通電され、電流供給を遮断するリレー接点とからなる電源装置である。
【０００６】
この発明では、腰痛治療用の出力電流を流すことができる。出力電流が設定された値以上になると、リレーが動作し、電流供給を遮断するので、安全性が確保される。
【０００７】
【発明の実施の形態】
以下、この発明の一実施形態について説明する。一実施形態による電源装置は、図１に示すような腰痛治療方法に使用される。図１において、参照符号１が後述するこの発明が適用された電源装置である。電源装置１は、商用電源２と接続され、その出力端子ｔ１およびｔ２に所望の電圧が発生する。
【０００８】
一方の出力端子ｔ１に対してケーブル３ａを介して導電材料からなる電極４ａが電気的且つ機械的に接続される。他方の出力端子ｔ２に対してケーブル３ｂを介して導電材料からなる電極４ｂが電気的且つ機械的に接続される。
【０００９】
参照符号５は、例えば椎間板ヘルニア、所謂ギックリ腰になった患者を示す。参照符号６は、気功を修得しており、気功に基づく施術を行う施術士を示す。上述した電源装置１の一方の出力端子ｔ１に接続された電極４ａを施術士６が片手に握り、空いている他方の手で患者５の片手を握る。患者５は、空いているもう一方の手で電極４ｂを握る。したがって、電源装置１の〔出力端子ｔ１−電極４ａ−施術士６−患者５−電極４ｂ−出力端子ｔ２〕の閉回路が形成される。
【００１０】
この状態で、電源装置１から電圧を発生させ、出力端子ｔ１およびｔ２に所望の電圧を発生させる。この電圧は、患者５に電流が流れても危険でない程度の値とされている。そして、施術士６が修得している気功によって、患者５に対して「気を入れる」処置を行う。この処置は、一瞬であるが、患者５の人体に流れる電流に変化が生じる。それによって、患者５の腰痛の治療がなされる。施術士６が患者５に対して「気を入れる」処置を行うと、患者５は、自己の持っている身体能力が高揚し、電流が流れることによる刺激が効果的に作用し、短時間または少ない回数で治療効果をあげることができる。
【００１１】
このように、施術士６が備えている気功に基づく施術と、電源装置１によって加えられる電流との相乗効果によって、効果的な治療が可能となる。この発明は、上述した腰痛治療に使用される電源装置１に関するものである。
【００１２】
図２は、電源装置１の一例の構成を示す。商用電源２に対して接続された一方の入力端子が電源スイッチＳＷ１を介してスライダック（商品名）ＳＬの固定接点に接続される。スライダックＳＬは、単巻変圧器で、２次側が摺動接点Ｓｔとされ、変圧比を連続的に変えられ、２次側に発生する電圧を可変することができるものである。摺動接点Ｓｔに対してトランスＴ１の１次側コイルの一端が接続されている。
【００１３】
トランスＴ１の１次側コイルの他端がリレー接点Ｒｙ１の接点ａとヒューズＦを介して入力端子の他端に接続される。リレー接点Ｒｙ１の接点ｂと、電源の一端との間にブザーＢＺが挿入されている。接点ａが通常閉じているもので、接点ｂが通電時に閉じるものである。
【００１４】
トランスＴ１の２次側コイルの一端が出力端子ｔ１として導出され、その他端がブリッジ整流回路Ｓｅ２を介して出力端子ｔ２として導出されている。出力端子ｔ１およびｔ２間に電圧計が接続されている。出力端子ｔ１およびｔ２には、図１を参照して説明したように、電極４ａおよび４ｂがそれぞれ接続されている。
【００１５】
また、トランスＴ２の１次側コイルの両端が電源スイッチＳＷ１を介して商用電源と接続されている。トランスＴ２の２次側にコイルＬ１およびＬ２が設けられている。コイルＬ２の両端間には、リレー接点Ｒｙ２の接点ａおよびｂをそれぞれ介してランプＰ１およびＰ２が接続されている。接点ａが通常閉じているもので、ランプＰ１が通電され、点灯している。リレーが通電されると、接点ｂが選択され、ランプＰ２が通電され、Ｐ２が点灯し、ランプＰ１が消える。
【００１６】
トランスＴ２の２次側コイルＬ１の両端にブリッジ整流回路Ｓｅ１が接続される。整流回路Ｓｅ１の出力には、コンデンサＣが接続され、コンデンサＣの端子電圧（例えば２４Ｖ）がサイリスタの一種であるＳＣＲ（Ｓｉｌｉｃｏｎ　Ｃｏｎｔｒｏｌｌｅｄ　Ｒｅｃｔｉｆｉｅｒ）Ｄ１のアノードに接続される。ＳＣＲ　Ｄ１は、アノード、カソードおよびゲートの三個の電極を有する３端子素子である。ＳＣＲ　Ｄ１に対して、順方向のバイアス電圧が印加されており、その状態でゲートに対して所定の正の電圧を加えることによってＳＣＲ　Ｄ１をターンオンさせることができる。
【００１７】
ＳＣＲ　Ｄ１を介してコンデンサＣと並列にリレーのコイルＲおよびリセットスイッチＳ３が接続されている。ＳＣＲ　Ｄ１がターンオンすると、リレーのコイルＲが通電され、接点ａから接点ｂへ切り替わる。したがって、接点Ｒｙ１によってトランスＴ１の１次側が開放とされ、通電状態が遮断され、ブザーが鳴る。これと共に、ランプＰ２が点灯し、ランプＰ１が消える。リレーコイルＲに対する通電状態は、リセットスイッチＳ３を押すと切断され、各リレーの接点がｂ側に復帰される。
【００１８】
ＳＣＲ　Ｄ１のゲートが抵抗Ｒ２を介して整流回路Ｓｅ２の出力端子の一端と接続される。出力端子の一端が抵抗Ｒ１と可変抵抗ＶＲ１の並列接続とスイッチＳ２を介してＳＣＲ　Ｄ１のアノードおよびリレーコイルＲの接続点に接続される。スイッチＳ２は、手動で操作され、抵抗Ｒ１および可変抵抗ＶＲ１の一方を選択するものである。スイッチＳ２が端子ｃを選択する状態では、固定抵抗Ｒ１が選択され、スイッチＳ２が端子ｄを選択する状態では、可変抵抗ＶＲ１が選択される。抵抗Ｒ１は、設定電流を所定の値例えば２０ｍＡとするもので、可変抵抗ＶＲ１は、設定電流を可変の値に設定できるものである。
【００１９】
上述した電源装置１において、出力端子ｔ１およびｔ２には、電極がそれぞれ接続され、電源スイッチＳ１をオンすると、各電極から人体に対して電流が流れるので、安全な電流を流すことが安全性の点から必要である。図２の構成では、抵抗Ｒ１が選択された状態では、出力電流を例えば２０ｍＡ未満に制限するようになされている。
【００２０】
出力電流が整流回路Ｓｅ２で整流した電流が抵抗Ｒ２を介してＳＣＲ　Ｄ１のゲートに対して流れる。このゲート電流が２０ｍＡ以上になると、ＳＣＲ　Ｄ１がターンオンする。それによってリレーのコイルＲに対して電流が流れ、リレーの接点がａからｂに切り替わる。リレー接点Ｒｙ１によって、トランスＴ１の１次側の電流路が断たれ、２次側で電流が流れなくなり、過電流の危険がなくなる。また、ブザーが鳴り、ランプＰ２が点灯することによって、安全装置が働いたことを使用者が知ることができる。
【００２１】
この発明は、上述したこの発明の一実施形態に限定されるものでは無く、この発明の要旨を逸脱しない範囲内で様々な変形や応用が可能である。
【００２２】
【発明の効果】
以上の説明から明らかなように、この発明によれば、出力電流が設定電流以上になると、直ちに安全装置が働き、通電状態を遮断するので、出力電流を腰痛治療に使用して好適な電源装置を供給できる。
【図面の簡単な説明】
【図１】この発明による電源装置の使用方法を説明するための略線図である。
【図２】この発明の一実施形態の構成を示す接続図である。
【符号の説明】
ＳＬ・・・スライダック（商品名）、Ｔ１，Ｔ２・・・トランス、Ｄ１・・・ＳＣＲ
【図１】
2004048850.tif 000003
【図２】
2004048850.tif 000004